(57)【要約】  本発明はスタンド型ＬＥＤ照明装置に関し、ベース部と、上記ベース部に固定されて上向きに延長される支持部と、上記支持部の上部に固定されて光を発散する照明部と、を含むスタンド型ＬＥＤ照明装置であって、上記照明部は、傾斜面である反射板と、上記反射板の上部に位置する上部照明部と、上記反射板の下部に位置する下部照明部と、を含む。本発明は、照明部を上部照明部と下部照明部とに区分し、上記上部照明部と下部照明部との間に反射板を設けて、使用者の選択により上部照明部と下部照明部との各々を使用し、また上部照明部と下部照明部とを同時に使用できるようにして、必要によって室内照明又はムード照明で使用することができる効果がある。
2016521447.tif 000002
【特許請求の範囲】
【請求項１】
ベース部と、前記ベース部に固定されて上向きに延長される支持部と、前記支持部の上部に固定されて光を発散する照明部と、を含むスタンド型ＬＥＤ照明装置であって、
前記照明部は、傾斜面である反射板と、前記反射板の上部に位置する上部照明部と、前記反射板の下部に位置する下部照明部と、で構成されることを特徴とするスタンド型ＬＥＤ照明装置。
【請求項２】
前記反射板は、中央部が低くて縁側が高い傾斜面を提供することを特徴とする請求項１に記載のスタンド型ＬＥＤ照明装置。
【請求項３】
前記下部照明部と前記反射板とは、
前記支持部が貫通挿入されるホールが設けられることを特徴とする請求項１に記載のスタンド型ＬＥＤ照明装置。
【請求項４】
前記下部照明部は、
前記支持部の中間部分に挿入される放熱部材と、
複数のＬＥＤが実装され、前記放熱部材の上面に安着される下部基板と、
前記下部基板の周りに設けられた結合溝に下端が挿入されて固定され、前記反射板の底面で反射された反射光を外部に放出する透光カバーと、で構成されることを特徴とする請求項１に記載のスタンド型ＬＥＤ照明装置。
【請求項５】
前記透光カバーは、
上部に行くほど直径が大きくなる略円錐形構造であり、
透明または半透明材質であることを特徴とする請求項４に記載のスタンド型ＬＥＤ照明装置。
【請求項６】
前記放熱部材は、
金属材製であり、前記下部基板が安着される安着面と、前記安着面の縁側に沿って設けられた前記結合溝と、外面に複数設けられた放熱フィンと、で構成されることを特徴とする請求項４に記載のスタンド型ＬＥＤ照明装置。
【請求項７】
前記上部照明部は、
複数のＬＥＤが実装された上部基板と、
前記上部基板を収容し、前記上部基板のＬＥＤから放出される光を側面に放出する側面発光部と、
前記側面発光部から放出された光が前記反射板の上面で反射された反射光を拡散させて放出する上部拡散部と、で構成されることを特徴とする請求項１に記載のスタンド型ＬＥＤ照明装置。
【請求項８】
前記側面発光部は、前記反射板の上部中央に安着固定されることを特徴とする請求項７に記載のスタンド型ＬＥＤ照明装置。
【請求項９】
前記側面発光部は、
金属上板と、前記上部基板が上面に安着される下板と、前記上板と下板との間の周りに位置して前記上部基板の光を側面に放出する側面拡散板と、で構成されることを特徴とする請求項７に記載のスタンド型ＬＥＤ照明装置。
【請求項１０】
前記下板は、
前記反射板の上部中央に接して固定されて、前記上部基板の熱を前記反射板に伝達して放出するようにすることを特徴とする請求項９に記載のスタンド型ＬＥＤ照明装置。
【請求項１１】
前記上部照明部から延長されて、前記上部照明部に比べてより高く位置するバルブ照明部をさらに含むことを特徴とする請求項１に記載のスタンド型ＬＥＤ照明装置。
【請求項１２】
前記バルブ照明部は、
前記上部照明部の上部に固定されて上向きに延長される金属材体部と、複数のＬＥＤが実装され、前記体部の上面に設けられた溝に収容される基板と、前記体部の上面を覆うレンズと、で構成されることを特徴とする請求項１１に記載のスタンド型ＬＥＤ照明装置。
【請求項１３】
前記バルブ照明部は、
前記上板の上面から上向きに延長されて、前記上部拡散部の縁側より高く位置することを特徴とする請求項９に記載スタンド型ＬＥＤ照明装置。
【請求項１４】
前記バルブ照明部は、
前記上板の上部に固定されて上向きに延長される金属材体部と、複数のＬＥＤが実装され、前記体部の上面に設けられた溝に収容される基板と、前記体部の上面を覆うレンズと、で構成されることを特徴とする請求項１３に記載のスタンド型ＬＥＤ照明装置。
【発明の詳細な説明】
【技術分野】
【０００１】
本発明は、スタンド型ＬＥＤ照明装置に関し、より詳細には照明方向の任意選択が可能であり、熱放出特性が優秀なスタンド型ＬＥＤ照明装置に関する。
【背景技術】
【０００２】
一般的に室内照明は、室外の照明に比べて照度が低く、制限された空間に設置されるために、直接照明よりは反射板などを利用した間接照明が使用されている。すなわち、使用者の目に光が直接照射されることを最大に防止しながら室内を照明する必要がある。上記室内照明は、室内の天井または壁面に設置されることもあるが、ムード照明及び一部照明のためにスタンド型の照明が設置される。
【０００３】
最近、スタンド型照明は、室内の照明だけでなく、ムード照明の役割をすると共にインテリア効果を高める用途で開発されており、多様な雰囲気の演出のために効果的な室内照明灯を要求している。
【０００４】
併せて、低消費電力でありながら、寿命の長い、かつ、既存の蛍光灯や白熱灯に比べて環境に優しい光源であるＬＥＤを利用した室内照明に対する技術が開発されている。
【０００５】
基本的にＬＥＤは、設定によって多様な照度及びカラーの光を放出できるが、家庭などの室内で使用するにはその設定が複雑であるため、主に、白色または昼光色の単一カラーの製品で製作されている。
【０００６】
このような単色のＬＥＤを利用した室内灯は、インテリア効果を高める役割を期待できず、単純に照度を合せた照明にすぎないため、市場の要求に符合しない。
【０００７】
従来のスタンド型ＬＥＤ照明装置は、主に下向きの照明領域を提供する構成でデスクトップ向けで使用できる構造であり、上向きの照明を提供する例には、韓国公開実用新案２０−２０１０−００１３００１号公報（以下、‘特許文献１’と称する）があげられる。特許文献１の場合、上向きの照明は、天井に星座などのパターンを作るためのものであり、使用者の選択によって、上部と下部の照明を各々使用することはできない構造であった。
【０００８】
すなわち、下向きの照明とムード照明を同時に使用できない問題点があった。
【先行技術文献】
【特許文献】
【０００９】
【特許文献１】韓国公開実用新案２０−２０１０−００１３００１号公報
【発明の概要】
【発明が解決しようとする課題】
【００１０】
上記のような問題点を勘案した本発明が解決しようとする技術的課題は、下向きの主照明と上向きのムード照明とを使用者が選択して照明できるスタンド型ＬＥＤ照明装置を提供することにある。
【００１１】
また、上向きと下向きとの照明の区分が明確であり、上向きの照明が室内の天井に集中せずにほのかに拡散されて審美感を与えられるスタンド型ＬＥＤ照明装置を提供することにある。
【００１２】
また、本発明は、ＬＥＤで発生される熱を効果的に放熱させるスタンド型ＬＥＤ照明装置を提供することにある。
【課題を解決するための手段】
【００１３】
上記のような課題を解決するための本発明のスタンド型ＬＥＤ照明装置は、ベース部と、上記ベース部に固定されて上向きに延長される支持部と、上記支持部の上部に固定されて光を発散する照明部と、を含むスタンド型ＬＥＤ照明装置であって、上記照明部は、傾斜面である反射板と、上記反射板の上部に位置する上部照明部と、上記反射板の下部に位置する下部照明部と、を含む。
【発明の効果】
【００１４】
本発明のスタンド型ＬＥＤ照明装置は、照明部を上部照明部と下部照明部とに区分し、上記上部照明部と下部照明部との間に反射板を設けて、使用者の選択により上部照明部と下部照明部との各々を使用し、また上部照明部と下部照明部とを同時に使用できるようにして、必要によって室内照明またはムード照明として使用できる効果がある。
【００１５】
また、本発明は、上記反射板により下部照明部と上部照明部との間で光の干渉が発生することを防止して、主照明とムード照明を区分して使用可能な効果がある。
【００１６】
併せて、本発明は、上部照明部と下部照明部に設けられるＬＥＤで発生する熱を支持部を通して外部に排出することによって、ＬＥＤの寿命が短縮されることを防止できる効果がある。
【図面の簡単な説明】
【００１７】
【図１】本発明の好ましい実施形態によるスタンド型ＬＥＤ照明装置の断面構成図である。
【図２】本発明の照明部の分離斜視図である。
【図３】本発明の下部照明部の一部の詳細断面構成図である。
【図４】本発明の上部照明部一部の詳細断面構成図である。
【図５】本発明の他の実施形態によるスタンド型ＬＥＤ照明装置の断面構成図である。
【発明を実施するための形態】
【００１８】
以下、本発明のスタンド型ＬＥＤ照明装置に対して添付図面を参照して詳細に説明する。
【００１９】
図１は、本発明の好ましい実施形態によるスタンド型ＬＥＤ照明装置の断面構成図であり、図２は図１における照明部１００の分離斜視図である。
【００２０】
図１及び図２を各々参照すると、上部照明部１１０と下部照明部１２０との内側に反射板１３０が設けられた照明部１００と、照明部１００の下部中央から下向きに延長される支持部２００と、支持部２００が上部に接続されることで照明部１００を立てると共に、内部に電源供給部及び制御回路を収容するベース部３００と、を含む。
【００２１】
下部照明部１２０は、支持部２００が貫通挿入されるホールＨ３が中央に設けられ、上部側に複数のＬＥＤ１２４が配置される下部基板１２１と、下部基板１２１を内側下部に収容 し、ＬＥＤ１２４の光を反射する反射板１３０の反射光が外部に発散されるようにする透光カバー１２２と、透光カバー１２２の下部側に結合され、下部基板１２１が安着される安着面を提供して、ＬＥＤ１２４で発生する熱を放出する放熱部材１２３と、を含む。
【００２２】
透光カバー１２２は、上部側が広くて下部側が狭い円筒形の構造であり、下部中央には支持部２００が貫通挿入されるホールＨ２が設けられ、反射板１３０で反射される光を拡散させて面発光させる役割をする。
【００２３】
上部照明部１１０は、反射板１３０の中央上部に位置して側面に光を放出する側面発光部１１２と、複数のＬＥＤ１１４が設けられ、側面発光部１１２内に設置される上部基板１１１と、中央部に側面発光部１１２の上部の一部が結合されるホールＨ５が設けられ、縁側に行くほど高くなる円板形の構造であり、側面発光部１１２の側面から発散される光及び反射板１３０の上面で反射される反射光を拡散させて発散する上部拡散部１１３と、を含む。
【００２４】
以下、上記のように構成される本発明の好ましい実施形態によるスタンド型ＬＥＤ照明装置の構成と作用に対してより詳細に説明する。
【００２５】
まず、支持部２００は、金属パイプを使用し、その内部を通して下部基板１２１と上部基板１１１とに各々電源を供給する電線が挿入される。支持部２００は、下部基板１２１と上部基板１１１とから発生された熱を伝導して放出させる役割もする。
【００２６】
支持部２００の下部末端は、ベース部３００の上部の一部に固定され、上部末端は照明部１００に貫通挿入される。
【００２７】
照明部１００の下部側である下部照明部１２０を構成する下部基板１２１、透光カバー１２２、放熱部材１２３は、各々支持部２００が貫通挿入されるホールＨ３，Ｈ２，Ｈ１が設けられ、透光カバー１２２のホールＨ２は、放熱部材１２３の上部の一部が挿入されて、下部基板１２１がその放熱部材１２３の上部に接して位置するように構成される。
【００２８】
図３は、下部照明部１２０の一部詳細断面構成図である。
【００２９】
図３を参照すると、放熱部材１２３の上部側には、下部基板１２１が安着される安着面１２７が設けられ、その安着面１２７の周りに沿って設けられた結合溝１２６が設けられている。結合溝１２６は、透光カバー１２２の下部末端が挿入される溝であり、放熱部材１２３と透光カバー１２２とが結合される。
【００３０】
支持部２００は、放熱部材１２３と下部基板１２１とを貫通し、放熱部材１２３の安着面１２７に安着された下部基板１２１に電線２１０を接続するための貫通孔２２０が設けられている。
【００３１】
このような構成で、下部基板１２１に設けられた複数のＬＥＤ１２４に電源が供給されて光が放出される時、そのＬＥＤ１２４で熱が発生するようになり、この時に発生された熱は、放熱部材１２３に伝えられて外気と熱交換されて放出される。この時に放熱部材１２３の外側には、放熱フィン１２５が複数設けられて熱に放出をより容易にする。
【００３２】
図１及び図２をまた参照すると、下部基板１２１のＬＥＤから放出された光は上向きに照射され、その反射板１３０の底面で反射される。
【００３３】
この時に、反射板１３０の形状は、中央が低く縁側が高い形状であり、反射板１３０の底面は中央が下部側に突出された反射面である。
【００３４】
したがって、反射板１３０の底面で反射された反射光は外側に発散され、透光カバー１２２を通して放出される。この時、透光カバー１２２は、透明であり上記反射光を全て透光させるものであるか、半透明材質であり透光カバー１２２自体で光を拡散させて面発光させるものであってもよい。
【００３５】
支持部２００の上部末端は、反射板１３０に設けられたホールＨ４を通して挿入されて反射板１３０の内側に位置するようになり、反射板１３０の上部中央には上部照明部２１０の側面発光部１１２が安着されて固定される。
【００３６】
図４は、本発明の上部照明部１１０の一部詳細断面構成図である。
【００３７】
図４を参照すると、上部照明部１１０の側面発光部１１２は、上板１１５と下板１１６とが各々金属材の円板であり、上板１１５と下板１１６との間の周りには円筒形の側面拡散板１１７が設けられている。
【００３８】
側面発光部１１２の下板１１６は、支持部２００の上部末端に結合固定され、その側面発光部１１２の内側には上部基板１１１が位置する。図示するように、上部基板１１１は、下板１１６に安着され、上面に複数のＬＥＤ１１４が実装されてもよい。この時、ＬＥＤ１１４で発生される熱は、下板１１６を通して放熱され、その下板１１６の底面が接した反射板１３０を通して放熱される。
【００３９】
このように、反射板１３０は、上部照明部１１０と下部照明部１２０と間の光の干渉を遮断すると共に放熱の手段として使用されて、上部基板１１１のＬＥＤ１１４で発生する熱を容易に放出できる。
【００４０】
このように、反射板１３０を使用して熱の放出を容易にすると共に、熱が金属材の支持部２００を通して伝導されるため、上述したような放熱部材１２３で放熱されると共に金属材のベース部３００に伝導されて放熱され、放熱効果をより上げることができる。
【００４１】
上部基板１１１は、必ずしも図面と同一構造である必要はなく、側面発光に有利にＬＥＤ１１４の光放出面が側面に向けるように配置されてもよい。
【００４２】
側面発光部１１２内の上部基板１１１のＬＥＤ１１４から放出された光は、側面拡散板１１７のみを通して放出され、その放出された光は反射板１３０の上面で反射されて上部拡散部１１３で拡散されて外部に放出される。
【００４３】
このような上部照明部１１０の構成によって、室内の天井に直接放出される直光はなく、側面拡散板１１７と上部拡散部１１３とにより、ほのかな雰囲気の照明が演出される。したがって、上部照明部１１０は、ムード照明として使用されることができる。
【００４４】
上部照明部１１０の上部基板１１１のみに電源が供給される場合に、上部照明部１１０の光は反射板１３０により下部照明部１２０側に発散されず、下部照明部１２０の下部基板１２１のみに電源が供給される場合にも、下部照明部１２０の光は反射板１３０により上部照明部１１０に影響を与えなくなる。
【００４５】
上部基板１１１と下部基板１２１の両方に電源が供給される場合にも、上部照明部１１０と下部照明部１２０との光は上下に分離されて発散される形態となる。
【００４６】
したがって、上部照明部１１０の上部拡散部１１３のカラーと下部照明部１２０の透光カバー１２３のカラーを相異なるものにして多様な雰囲気を演出できるようになる。
【００４７】
図５は、本発明の他の実施形態によるスタンド型ＬＥＤ照明装置の断面構成図である。
【００４８】
図５を参照すると、本発明の他の実施形態によるスタンド型ＬＥＤ照明装置は、図１乃至図４を各々参照して説明した本発明の好ましい実施形態によるスタンド型ＬＥＤ照明装置と同一構成に追加でバルブ(bulb)照明部１４０をさらに含めて構成される。
【００４９】
バルブ照明部１４０は、側面発光部１１２の上板１１５の上面に下端が固定され、上端が上向きに延長され、上部拡散部１１３の縁側より高く位置する体部１４３と、体部１４３の上面中央に設けられた溝に収容される基板１４１と、基板１４１の上部に実装される複数のＬＥＤ１４４と、体部１４３の上面を覆うレンズ１４２と、を含めて構成される。
【００５０】
バルブ照明部１４０は、雰囲気の演出のための照明であり、レンズ１４２のカラーと機能とによって多様な雰囲気を演出する。レンズ１４２の内側に光が集まるように設計されたレンズを使用する場合、その集光部分に光が集中されてより華麗な照明を提供でき、上部照明部１１０のほのかな雰囲気に加えてポイント照明の役割をすることができる。
【００５１】
体部１４３は、金属材であり、ＬＥＤ１４４で発生する熱を放出する役割をする。
【００５２】
このように本発明スタンド型ＬＥＤ照明装置は、上部照明部１１０と下部照明部１２０と間の光干渉発生を防止して多様な照明を演出でき、ＬＥＤで発生される熱を効果的に放熱させてＬＥＤの寿命が短縮されることを防止できる。
【００５３】
本発明は、上記実施形態に限定されず本発明の技術的要旨を逸脱しない範囲内で多様に修正及び変形されて実施可能であることは本発明が属する技術分野における当業者にとっては自明である。
【符号の説明】
【００５４】
１００  ・・・照明部
１１０  ・・・上部照明部
１１１  ・・・上部基板
１１４  ・・・ＬＥＤ
１２０  ・・・下部照明部
１２１  ・・・下部基板
１２３  ・・・放熱部材
１２４  ・・・ＬＥＤ
１２５  ・・・放熱フィン
１３０  ・・・反射板
１４０  ・・・バルブ照明部
１４１  ・・・基板
１４２  ・・・レンズ
１４４  ・・・ＬＥＤ
２００  ・・・支持部
３００  ・・・ベース部
【図１】
2016521447.tif 000003
【図２】
2016521447.tif 000004
【図３】
2016521447.tif 000005
【図４】
2016521447.tif 000006
【図５】
2016521447.tif 000007
【国際調査報告】
2016521447.tif 000008
2016521447.tif 000009
2016521447.tif 000010
2016521447.tif 000011